(57)【特許請求の範囲】
【請求項１】
障害物が存在する敷設場所において、ホースを敷設する方法であって、
前記ホースを、水源と送水先のうちの一方に配置し、
前記敷設場所の所定位置にガイドを設置し、
前記ホースの一端部を裏返して固定し、
前記ホースの裏返された部分の内側に加圧エアを作用させて前記ホースの表裏を反転させつつ、反転の先端部分を、前記ガイドによって向きを変更しつつ前記障害物を乗り越えさせ、あるいは、前記障害物を避けながら進出させることによって、前記ホースを前記水源と前記送水先の前記一方から他方まで敷設することを特徴とするホースの敷設方法。
【請求項２】
２本の前記ホースを連結し、
一方のホースを、加圧エアによって表裏を反転させながら前記反転の先端部分を進出させ、
前記一方のホースと他方のホースとの連結部が、前記反転の先端部分に到達したときに、加圧エアによる前記一方のホースの反転を停止させてから、前記反転の先端部分を切断して２本のホースを一旦切り離し、
切り離された前記２本のホースの端部を、前記ホース内に前記加圧エアが作用したときにその流体が漏れないように接続した後、
前記加圧エアによって前記他方のホースの反転を開始することを特徴とする請求項１に記載のホースの敷設方法。
【請求項３】
先に、前記ホースよりも径の大きな保護筒体を、加圧エアにより表裏を反転させながら敷設し、
前記保護筒体の敷設後に、前記保護筒体の内側において、前記ホースを、加圧エアにより表裏を反転させながら前記保護筒体内に挿入することを特徴とする請求項１又は２に記載のホースの敷設方法。
【請求項４】
反転前の前記ホースにはベルトが挿通され、
前記ベルトを牽引しながら前記ホースの表裏を反転させることにより、前記反転の先端部分を、前記ベルトの牽引方向に誘導することを特徴とする請求項１〜３の何れかに記載のホースの敷設方法。
【請求項５】
前記ホースの反転を一旦停止させてから前記ホースの未反転部分を引っ張り、前記反転の先端部分を後退させた後に、前記反転の先端部分の向きを変更することを特徴とする請求項１〜４の何れかに記載のホースの敷設方法。
【発明の詳細な説明】
【技術分野】
【０００１】
本発明は、ホースの敷設方法に関し、特に、敷設場所の地面の状態が悪い場合など敷設作業が困難な条件下に特に好適なホース敷設方法に関する。
【背景技術】
【０００２】
従来から、地震、火災、台風等の様々な災害を受けた被災現場において、給水用ホース、消防ホース、あるいは、排水ホース等の様々な用途のホースを迅速に敷設することが求められることがある。
【０００３】
例えば、原子力発電所や化学プラント等が地震や火災等によって被災した場合には、工業用水の供給が停止し、その結果、設備に多大な被害がもたらされることがある。そこで、このような緊急の状況が発生したときには、１日、１時間を争って、出来る限り早急に水を供給するシステムを再構築することが必要である。しかしながら、一般的なプラントにおいては、付近を流れる河川から取水した水を工業用水管によって供給されるようになっているが、このような工業用水管は、地面に埋設して設置されていることも多く、地震等によって工業用水管が損傷して給水が停止した場合には、復旧にかなりの時間がかかる。このような場合には、水源からプラント等の給水先へ向けてホースを敷設することにより、被災現場において給水システムを早期に構築することが可能である。
【０００４】
また、地震や大雨等による土砂崩れが発生したときに、流れ出した土砂が堆積して川の水が堰き止められると、堰止湖が形成されることがある。そして、さらなる大雨や川の増水によって堰止湖の水位が上昇すると、水を堰き止めている部分（堰止湖の堤防部）が決壊し、下流側に大きな被害をもたらしかねない。このような場合には、堰止湖の水を速やかに排水するために、堤防部の堰止湖と反対側から堰止湖まで、排水ホースを迅速に敷設して排水路を構築することが求められる。
【０００５】
このような緊急時のホースの敷設に関して、特許文献１には、消防ホース等を敷設するための自走式の装置が開示されている。この特許文献１の装置は、自走可能な台車と、この台車に回転自在に設置されたリールと、リールを回転駆動するリール駆動機構を備えている。そして、台車にホースが巻取られたリールが設置された状態で、前記リールを回転させてホースを引き出しながら、台車を目的地まで走行させる。これにより、重量の大きなホースを、水源から離れた目的地まで容易且つ迅速に敷設することが可能となる。
【先行技術文献】
【特許文献】
【０００６】
【特許文献１】特開２００６−２８９号公報
【発明の概要】
【発明が解決しようとする課題】
【０００７】
特許文献１の自走式の装置は、確かに、重量の大きなホースを速やかに敷設する場合に好適なものではあるが、あくまで、このような装置が走行可能な、平坦な平地での敷設を想定したものである。従って、地震等の発生によって凹凸や瓦礫等が存在するような、敷設場所の地面の状態が悪い場合や、敷設場所が急斜面である場合に、このような自走式の装置を走行させながらホースを敷設することはかなり困難である。そうなると、人力でホースを敷設することになるが、被災現場において、重量の大きいホースを人力で敷設する作業は、現実には困難を極める。
【０００８】
例えば、地震などの災害時には、ホースの敷設場所において地面の隆起あるいは沈降によって凹凸や亀裂が生じたり、あるいは、建物の倒壊によって発生した瓦礫が多数散乱していたりする。このような場合、地面の凹凸や亀裂を避け、また、瓦礫を撤去しつつ、敷設作業を行うことが必要となる。そのため、ホースの敷設に、数日、場合によっては数ヶ月という、かなり長い時間を要することになる。
【０００９】
また、堰止湖から排水するための排水用のホースを敷設する場合においては、堤防部の急な斜面に沿ってホースを敷設する必要がある。また、堰止湖の堤防部の斜面には、土砂崩れによって崩れ落ちてきた岩や倒木等が存在し、また地面の状態も平坦でなく凹凸が至る所に形成されているのが普通である。さらに、地滑りが発生しやすい状況でもある。このような条件下で、重量の大きなホースを、人力によって短時間で敷設することはまず不可能である。
【００１０】
本発明の目的は、従来では敷設作業が困難であった環境下においても、ホースを迅速に敷設することが可能な、ホース敷設方法を提供することである。
【課題を解決するための手段及び発明の効果】
【００１１】
第１の発明のホースの敷設方法は、障害物が存在する敷設場所において、ホースを敷設する方法であって、前記ホースを、水源と送水先のうちの一方に配置し、前記敷設場所の所定位置にガイドを設置し、前記ホースの一端部を裏返して固定し、前記ホースの裏返された部分の内側に加圧エアを作用させて前記ホースの表裏を反転させつつ、反転の先端部分を、前記ガイドによって向きを変更しつつ前記障害物を乗り越えさせ、あるいは、前記障害物を避けながら進出させることによって、前記ホースを前記水源と前記送水先の前記一方から他方まで敷設することを特徴とするものである。
【００１２】
ホースの一端部を裏返して固定した状態で、その裏返された部分の内側に加圧エアを作用させると、ホースの、固定された一端部に連なる部分の表裏が順次反転しつつ、その反転位置（反転の先端部分）が前方へ移動する。
【００１３】
本発明では、ホースの表裏を反転させつつ、その反転の先端部分を連続的に進出させることによって敷設していくため、ホースを引っ張る必要がなく、また、ホースを敷設するための装置を敷設場所内で走行させる必要もない。また、地面の状態が悪い場合や障害物があってもその上を乗り越えるようにホースを敷設することができ、ホースを迅速且つ容易に敷設することができる。また、ホースの未反転部分が反転済みのホースの内側において繰り出されていくため、地面との間に摩擦が生じず、ホースに損傷が生じにくい。
【００１４】
また、地面の状態が悪い部分や障害物をどうしても避けざるを得ない場合であっても、ホースの、反転の先端部分の向きを変えるだけで、ホースの敷設方向を容易に変更することができる。また、ホースは曲げたり、扁平に押し潰したりすることができる。そのため、樹木等の大きな障害物が存在する場所において、ホースを敷設するための大きな空間を確保できず、比較的小さな空間しかない場合でも、ホースを曲げたり扁平に押し潰したりしてそのような小さな空間に通すことができ、障害物を避けることなくホースを敷設することも可能である。
【００１５】
このように、本発明によれば、凹凸や瓦礫等が存在するような敷設場所の地面の状態が悪い場合や、障害物が存在する場合、あるいは、敷設場所が急斜面である場合など、従来では敷設作業が困難であった環境下においても、ホースを容易且つ迅速に敷設することができる。
【００１７】
加圧エアの圧力でホースを反転させる場合には、水などの液体を使用する場合と比べて、反転中のホースの重量が大きくならず、反転の先端部分の向きを変えて敷設方向を変更する、あるいは、反転の先端部分が障害物等にひっかかった場合に持ち上げるといった、ホースの取り回しが容易になる。また、敷設場所が斜面である場合に水頭圧が作用しないため、斜面上方に敷設することも容易である。
【００１９】
本発明によれば、予めガイドを設置しておくことにより、このガイドによってホースを曲げながら敷設しやすくなり、地面の状態が悪い部分や障害物等を避けつつ、所定の経路に沿ってホースを敷設することが容易になる。
【００２０】
第２の発明のホースの敷設方法は、前記第１〜第３の何れかの発明において、２本の前記ホースを連結し、一方のホースを、加圧エアによって表裏を反転させながら前記反転の先端部分を進出させ、前記一方のホースと他方のホースとの連結部が、前記反転の先端部分に到達したときに、加圧エアによる前記一方のホースの反転を停止させてから、前記反転の先端部分を切断して２本のホースを一旦切り離し、切り離された前記２本のホースの端部を、前記ホース内に前記加圧エアが作用したときにその流体が漏れないように接続した後、前記加圧エアによって前記他方のホースの反転を開始することを特徴とするものである。
【００２１】
本発明によれば、２以上の複数のホースを次々に繋いでいくことによって長い距離にわたっての敷設が可能となる。また、一方のホースを反転させて敷設したときに、このホースに引っ張られて次に接続される他方のホースが接続位置まで移動してきていることから、次のホースを別途運搬する必要がない。
【００２２】
第３の発明のホースの敷設方法は、前記第１又は第２の発明において、先に、前記ホースよりも径の大きな保護筒体を、加圧エアにより表裏を反転させながら敷設し、前記保護筒体の敷設後に、前記保護筒体の内側において、前記ホースを、加圧エアにより表裏を反転させながら前記保護筒体内に挿入することを特徴とするものである。
【００２３】
本発明では、ホースが保護筒体内に挿入されることにより、ホースが保護筒体に保護され、ホースが傷つくことが防止される。また、保護筒体を、流体圧力によって反転させつつ敷設することから、ホースよりも大径の保護筒体の敷設作業が容易になる。また、長尺な保護筒体内に、同じく長尺なホースを、引き込みによって挿入するのは困難な場合もあるが、本発明では、ホースを、保護筒体の内側において加圧エアによって反転させることによって、保護筒体内に挿入することから、長尺な保護筒体内に、同じく長尺なホースを挿入することが非常に容易となる。
【００２４】
第４の発明のホースの敷設方法は、前記第１〜第３の何れかの発明において、反転前の前記ホースにはベルトが挿通され、前記ベルトを牽引しながら前記ホースの表裏を反転させることにより、前記反転の先端部分を、前記ベルトの牽引方向に誘導することを特徴とするものである。
【００２５】
本発明によれば、ホースの反転の先端部分をベルトによって誘導するため、ホースが進出する向きを制御できる。また、ベルトを牽引しながら反転を行うことで、ホースの反転速度（即ち、敷設速度）を制御することも可能となる。
【００２６】
第５の発明のホースの敷設方法は、前記第１〜第４の何れかの発明において、前記ホースの反転を一旦停止させてから前記ホースの未反転部分を引っ張り、前記反転の先端部分を後退させた後に、前記反転の先端部分の向きを変更することを特徴とするものである。
【００２７】
本発明によれば、ホースが間違った方向に敷設されてしまった場合でも、反転を一旦停止させて反転の先端部分を後退させてから、反転の先端部分の向きを変更することで、敷設方向を正しい方向に修正することができる。
【図面の簡単な説明】
【００２８】
【図１】本発明の第１実施形態に係る、給水用ホースの敷設工程を示す図である。
【図２】反転によってホースを敷設する途中の状態を示す図である。
【図３】反転時におけるホースの断面図である。
【図４】水中ポンプを用いた給水工程を示す図である。
【図５】ポンプ車を用いた給水工程を示す図である。
【図６】第１実施形態の変更形態に係る、ホースの敷設工程を示す図である。
【図７】別の変更形態に係るホースの断面図であり、２本のホースを繋ぎながら敷設する工程を説明する図である。
【図８】さらに別の変更形態に係る、ホース反転挿入時における保護筒体とホースの断面図である。
【図９】本発明の第２実施形態に係る、堰止湖へのホースの敷設工程を示す図である。
【図１０】ホース敷設後の堰止湖からの排水工程を示す図である。
【図１１】第２実施形態の変更形態に係る、ホースと水中ポンプとの接続を示す図である。
【図１２】別の変更形態に係るホースの敷設工程を示す図である。
【発明を実施するための形態】
【００２９】
（第１実施形態）
次に、本発明の第１実施形態について説明する。この第１実施形態では、地震等の災害発生によって工場への水の供給が停止したときに、給水システムを臨時に構築するために工場敷地内に給水用ホースを敷設する。図１は、第１実施形態に係る給水用ホースの敷設工程を示す図である。図１に示すように、第１実施形態では、工場敷地に隣接する水源１００（例えば、川や海）から工場敷地内の建屋２００へ向けて、給水用のホース５を敷設する。
【００３０】
水源１００近くにはホース敷設装置１が配置されている。このホース敷設装置１は、自走可能な台車２と、台車２に回転自在に設置されたリール３を有する。そして、ホース敷設装置１は、リール３を回転させることによって、このリール３に巻き付けられたホース５を引き出す。尚、ホース５は、後述する反転のために必要な気密性と可撓性を備えたものであれば、その構造は特に限定されるものではないが、例えば、筒状織物からなるジャケットの内外面に合成樹脂のコーティングがなされたものを使用できる。また、ホース５の口径は、建屋２００で必要とする水の量にもよるが、例えば、２００〜１０００ｍｍのものを使用する。さらに言えば、短い時間で大量の水を送る必要があることから、例えば、口径が５００〜１０００ｍｍの比較的口径の大きなものを使用することが好ましい。尚、工業用水を建屋２００へ供給するのであれば、耐圧力が１ＭＰａ以上のホース５を使用することが好ましい。
また、筒状織物からなるジャケットとしては、以下のような仕様のものを用いることができる。
経糸：ポリエステル糸１２２０ｄｔｅｘ／１０本×６００本
緯糸：ポリエステル糸１１００ｄｔｅｘ／１０本×２×２３Ｐ／１０ｃｍ
【００３１】
このホース敷設装置１は自走式であることから、平時であれば、ホース敷設装置１自身を敷地内で走行させてホース５を敷設することが可能である。しかしながら、災害発生時に、敷地内において地面の凹凸や瓦礫の散乱などが生じて、ホース敷設装置１を敷地内に進入させることが困難な場合には、ホース敷設装置１は水源１００近くに待機させておく。そして、ホース敷設装置１から引き出されたホース５を、以下のように表裏を反転させることによって敷設する。
【００３２】
ホース敷設装置１の前方には、ホース敷設装置１から引き出されたホース５の表裏を反転させる反転金具１０と、この反転金具１０に反転用の加圧エアを供給するエアポンプ１１が設置されている。
【００３３】
図２は、ホースの敷設途中の状態を示す図である。また、図３は、反転時におけるホース５の断面図である。図３に示すように、反転金具１０は、円板状の板部材１２と、この板部材１２の外周部にボルトで連結された筒部材１３を有する。
【００３４】
板部材１２の中央部には、ホース５が挿通される挿通孔１２ａが形成されている。また、板部材１２には、エアポンプ１１と接続されるエア注入口１２ｂも形成されている。そして、ホース敷設装置１から引き出されたホース５は、偏平に折り畳まれた状態で板部材１２の挿通孔１２ａに挿通される。さらに、挿通孔１２ａを通過したホース５の先端部は裏返されて、筒部材１３の外周面にバンド１４で固定される。また、板部材１２の中央部には、挿通孔１２ａ内のホース５の通過を許容しつつ、挿通孔１２ａとホース５との間を気密に保持するシール部材１５が取り付けられている。
【００３５】
図３のように、ホース５の先端部が裏返されて筒部材１３に固定された状態では、ホース５、板部材１２、及び、筒部材１３の内側に密閉空間１６が形成される。そして、エア注入口１２ｂに接続されたエアポンプ１１から、前記空間１６内に加圧エアが供給されると、裏返されたホース５の先端部の内側にエアの圧力（流体圧力）が作用する。このエアの圧力により、ホース５の、固定された先端部に続く部分が挿通孔１２ａから引き出されながら表裏が反転されていく。このとき、図２に示すように、ホース５の反転が行われている部分（反転の先端部分５ａ）が前方へ進出することになる。
【００３６】
そして、本実施形態では、このホース５の表裏反転の際の先端部分５ａの進出を利用して、敷地内にホース５を敷設する。つまり、ホース５に加圧エアを供給して反転を進めていくにつれて、反転の先端部分５ａが前方へ進出するために、ホース５の敷設が自然に進行することになる。
【００３７】
次に、敷地内におけるホース５の敷設から建屋２００への給水に至るまでの、一連の作業について順を追って説明する。
まず、敷地内にホース５を敷設するために、図１に示すように、ホース５が巻き付けられたリール３を搭載したホース敷設装置１を、川や海などの水源１００近くに設置する。また、敷地内の、ホース５を敷設する領域の所定位置に、大きな凹凸や瓦礫が存在する部分（図１のハッチング部分）、あるいは、樹木等の大きな障害物を避けてホース５を敷設することができるように、敷設予定経路に沿って複数のガイド２０を設置する。尚、ガイド２０の設置は、例えば、地面に杭を打ってもよいし、ドラム缶などの工場内の備品に水を入れて重量を増やしたものを置くだけでもよい。
【００３８】
次に、図２、図３に示すように、ホース５の先端部を裏返した状態で反転金具１０に固定する。そして、ホース敷設装置１のリール３を回転させてリール３からホース５を引き出しながら、エアポンプ１１から供給された加圧エアの圧力によって、ホース５の表裏を反転させつつ反転の先端部分５ａを進出させて、ホース５の敷設を開始する。尚、反転金具１０に供給する加圧エアの圧力は、敷設するホース５の仕様に応じて決定される。例えば、上述したように、口径が２００〜１０００ｍｍ、耐圧力が１ＭＰａ程度のホースの場合であれば、適切な加圧エアの圧力は０．０５〜０．３ＭＰａであり、この範囲内であれば、かなり長尺のホース５であっても反転による敷設が可能である。
【００３９】
このように、加圧エアの圧力によってホース５の表裏を反転させつつ、その反転の先端部分５ａを連続的に進出させることによって敷設していくため、ホース５を引っ張る必要がなく、また、ホース敷設装置１を敷設内で走行させる必要もない。また、地面に凹凸や亀裂、あるいは、瓦礫等が存在する状態であっても、凹凸や亀裂を避けたり、瓦礫を排除することなくその上を乗り越えてホース５を迅速に敷設できる。また、図２、図３からわかるように、反転時に、ホース５の未反転部分５ｂが、反転済みの部分の内側において繰り出されていくことから、この繰り出されていく未反転部分５ｂと地面との間に摩擦が生じず、引っ張って敷設する場合と比べてホース５に損傷が生じにくい。
【００４０】
但し、大きな凹凸、亀裂、あるいは、瓦礫が存在する（図１のハッチング部分）、あるいは、樹木や施設等の様々な障害物が設置されているなど、どうしても避けざるを得ない場所が敷地内に存在する場合には、ホース５の敷設方向を変更する必要がある。このようなときでも、作業者が、ホース５の反転の先端部分５ａの向きを変えるだけで、ホース５の敷設方向を容易に変更することができる。また、敷地内の所定位置に予めガイド２０を設置しておくことで、敷設方向を変える際にホース５を曲げやすくなる。これにより、地面の状態が悪い部分や障害物等を避けつつ、所定の経路に沿ってホース５を敷設することが容易になる。
【００４１】
また、万が一、ホース５を曲げる位置を間違えたり、あるいは、違った方向に曲げてしまったりして、ホース５が間違った方向に敷設されてしまった場合には、以下のようにして、ホース５の敷設方向を容易に修正できる。まず、ホース５の膨張状態を維持できる程度の圧力まで加圧エアの圧力を低下させ、反転の先端部分５ａの進出を一旦停止（反転を停止）させる。次に、ホース５の未反転部分５ｂをリール３側から引っ張って、反転の先端部分５ａを後退させる。そして、ホース５を曲げる位置まで先端部分５ａを戻したら、その位置で改めて先端部分５ａの向きを正しい方向に向け、加圧エアの圧力を上げて反転を再開する。このように、ホース５が間違った方向に敷設されてしまった場合でも、加圧エアの圧力を低下させて反転の先端部分５ａを後退させてから、その向きを変更することで、敷設方向を正しい方向に修正することができる。
【００４２】
また、ホース５は可撓性を有するものであって、曲げたり、扁平に押し潰したりすることができる。そのため、大きな障害物が存在する場所において、ホース５を敷設するための大きな空間を確保できず、比較的小さな空間しかない場合でも、ホース５を曲げたり扁平に押し潰したりしてそのような小さな空間に通すことで、障害物を避けることなくホース５を敷設することもできる。
【００４３】
尚、人命に危険が及ぶような、敷設場所に作業者が立ち入ることが困難な環境でホース５を敷設する場合には、進出する反転の先端部分５ａと併走する機械やロボット等を用いて、ホース５の敷設方向の変更を行ってもよい。
【００４４】
以上のように、従来では敷設作業が困難であった、凹凸や亀裂、あるいは、瓦礫等が存在するような敷地内の地面の状態が悪い場合や、敷地内に障害物が存在する場合であっても、ホース５を容易且つ迅速に敷設することができる。例えば、敷設距離が数百ｍであれば数時間で敷設でき、数ｋｍであっても２，３日で敷設することが可能である。
【００４５】
また、この第１実施形態では、加圧エアの圧力でホース５の表裏を反転させている。反転に使用する流体としては、水などの液体であってもよいのだが、加圧エアを使用することで、液体を使用した場合と比べて反転中のホース５の重量が大きくならない。従って、反転の先端部分５ａの向きを変えて敷設方向を変更する、あるいは、反転の先端部分５ａが障害物等にひっかかった場合に持ち上げるといった、ホース５の取り回しが容易になる。
【００４６】
以上のようにして、建屋２００までのホース５の敷設が完了すると、ホース５を、水源１００から水を汲み上げる給水ポンプに接続する。尚、図３に示すように、反転金具１０の板部材１２は、ホース５の端部が固定されている筒部材１３とボルトで連結されており、板部材１２を筒部材１３から簡単に取り外すことができるようになっている。従って、筒部材１３にホース５の端部が固定されたままで板部材１２を筒部材１３から外して、代わりに、筒部材１３に、給水ポンプと接続するための金具を取り付けることができるため、ホース５と給水ポンプとの接続が容易である。具体的には、例えば、図４に示すように、反転金具１０に水中ポンプ１７を接続する。あるいは、図５に示すように、水中ポンプを備えたポンプ車１８を反転金具１０に接続する。このように、ホース５を給水ポンプと接続した後は、給水ポンプによって水源１００の水を汲み上げ、ホース５を介して建屋２００へ給水する。
【００４７】
尚、上の説明では、建屋２００に給水を行うためのホース５を敷設する場合を例に挙げて説明したが、建屋２００において火災が発生した場合に、この建屋２００へ消防ホースを敷設する場合についても、同様の作業を行うことによって実現できる。
【００４８】
次に、第１実施形態の変更形態について説明する。但し、前記第１実施形態と同様の構成を有するものについては、同じ符号を付して適宜その説明を省略する。
【００４９】
１］図６に示すように、偏平に折り畳まれたホース５に、このホース５よりも長いベルト６が挿通されており、ホース５の全長にわたってベルト６が密着していてもよい。この場合、ホース５の反転敷設時に、作業者がベルト６を牽引しながらホース５の反転を行い、反転の先端部分５ａをベルト６の牽引方向に誘導することができる。これにより、ホース５から離れた場所からベルト６を操作して、敷設時のホース５の向き（先端部分５ａの進出方向）を制御できる。また、ベルト６によってホース５の反転速度（即ち、敷設速度）を制御することもできる。さらに、反転の先端部分５ａが障害物にひっかかったときに、ベルト６を上下、あるいは、左右に振るなど操作することによって、そのひっかかった状態を解消することも可能である。
【００５０】
また、ホース５の敷設方向を修正する際に、このベルト６のホース敷設装置１側の端部を後へ引っ張ることで、反転の先端部分５ａを簡単に後退させることができる。また、ベルト６のホース敷設装置１側の端部をリール３に固定しておけば、リール３からホース５がある程度引き出されたときに、加圧エアの圧力によってホース５が前に飛び出してしまうことが抑制できる。
【００５１】
尚、上記のベルト６の代わりに、ロープやワイヤ等の線材を用いても同様の作用効果が得られる。但し、幅広のベルトを用いた場合は、ロープ等と比較して、牽引時にホース５がねじれにくいという利点や、ホース５に密着したときの摩擦力が大きく、ホース５との間にすべりが生じにくいという利点がある。
【００５２】
２］２以上の複数のホース５を繋いで敷設することも可能である。但し、敷設場所の地面の状態が悪い場合には、各々のホース５を接続位置までトラック等に積んで敷地内で運搬することは難しい。そこで、下記のような手順で敷設作業を行うことが好ましい。
【００５３】
まず、図７（ａ）に示すように、敷設前に、２本のホース５Ａ，５Ｂの端部を連結しておく。尚、この段階では、２本のホース５Ａ，５Ｂの端部を気密状に接続する必要は全くなく、一方のホース５Ａが移動したときに他方のホース５Ｂが一体的に移動できる程度の連結であればよい。例えば、２本のホース５Ａ，５Ｂを、例えば、布やゴム等の可撓性シートからなる連結部材３０で連結すれば十分である。
【００５４】
次に、一方のホース５Ａの端部を裏返した状態で反転金具１０に固定し、加圧エアの圧力によってこの一方のホース５Ａを反転させる。このとき、反転の先端部分５ａの進出に伴って、連結部５ｃ、及び、他方のホース５Ｂも移動することになる。そして、図７（ｂ）に示すように、２本のホース５Ａ，５Ｂの連結部５ｃが反転の先端部分５ａに到達したときには、エアポンプ１１からの加圧エアの供給を止めて反転を停止し、切断線Ｃにおいて連結部５ｃを含む先端部分５ａを切断、除去する。次に、図７（ｃ）に示すように、切り離された２本のホース５Ａ，５Ｂの端部に接続金具３１，３２を取り付けて、改めて、２本のホース５Ａ，５Ｂを、加圧エアが漏れないように気密状に接続する。その後、再びエアポンプ１１からホース５内の空間１６に加圧エアを供給すると、この加圧エアの圧力によって他方のホース５Ｂの反転が開始されて、この他方のホース５Ｂの敷設が行われる。
【００５５】
上記のようにして、１本のホース５Ａの敷設が終わり次第、別のホース５Ｂを接続し、複数のホース５を次々に繋いでいくことによって、長い距離にわたっての敷設が可能となる。また、一方のホース５Ａを反転させて敷設したときに、このホース５Ａに引っ張られて次に接続されるホース５Ｂが接続位置まで移動してきていることから、次に敷設するホース５Ｂを、別途トラック等で接続位置まで運搬する必要がない。
【００５６】
３］敷設場所に瓦礫が散乱している等、地面の状態が悪い部分において、ホース５を敷設する場合には、予め、不織布等をかぶせ、その上にホース５を敷設するようにすれば、ホース５の損傷を確実に防止できる。
【００５７】
また、ホース５の外側を、別の保護用の筒体（保護筒体４０）で覆うようにしてもよい。但し、ホース５よりも大径で、且つ、長尺の保護筒体４０を敷設し、さらに、この保護筒体４０内に同じく長尺のホース５を引き込んで挿入することは、かなり困難な作業となることから、例えば、以下のような方法を採用することが好ましい。
【００５８】
図８に示すように、まず、ホース５よりも径の大きな保護筒体４０を反転させつつ敷設する。即ち、保護筒体４０の端部を裏返した状態で反転金具４１に固定し、加圧エアの圧力によって保護筒体４０の表裏を反転させながら敷設する。保護筒体４０の敷設後、この保護筒体４０の内側において、反転金具１０を用いてホース５を加圧エアの圧力によって表裏を反転させて反転の先端部分５ａを進出させ、保護筒体４０内に挿入させる。
【００５９】
この形態では、ホース５が保護筒体４０内に挿入されることにより、ホース５が保護筒体４０に保護され、ホース５が傷つくことが防止される。また、保護筒体４０を、加圧エアによって反転させつつ敷設することから、ホース５よりも大径の保護筒体４０の敷設作業が容易になる。さらに、ホース５も同様に加圧エアによって反転させつつ保護筒体４０内に挿入することから、長尺な保護筒体４０内に、同じく長尺なホース５を挿入することが非常に容易となる。
【００６０】
尚、保護筒体４０は、ホース５を保護する機能を備えていればよいのだが、上記のように加圧エアによる反転によって敷設するのであれば、ホース５と同様に、自身が反転するための可撓性と、加圧エアを漏らさないための気密性を少なくとも備えていることが必要である。例えば、縫製等により筒状に形成された不織布を好適に使用できる。
【００６１】
４］前記実施形態では加圧エアによってホース５を反転させていたが、反転のためにホース５に供給する流体は気体には限られず、水などの液体を用いてもよい。
【００６２】
５］ホース５を反転させる反転装置としては前述の反転金具１０には限られない。例えば、長尺なホース５が巻取られたリールを収容し、且つ、加圧エアが供給される圧力容器を備えた、大型の反転装置を用いてもよい。
【００６３】
（第２実施形態）
次に、本発明の第２実施形態について説明する。前記第１実施形態は、敷設場所が平地である場合を想定して本発明を適用した例であるが、この第２実施形態は、急な斜面においてホースを敷設する場合に適用した例である。より具体的には、土砂崩れ等によって流れ出した土砂が堆積し、水が堰き止められることによって形成された堰止湖へ、排水用のホースを敷設する例を挙げる。図９は、第２実施形態に係る、堰止湖への排水ホースの敷設工程を示す図である。
【００６４】
図９に示すように、土砂崩れ等によって流れ出した土砂が堆積して堤防部５６をなし、この堤防部５６によって川の水が堰き止められると、川の上流側に堰止湖５７が形成される。この第２実施形態では、堤防部５６の堰止湖５７とは反対側（図中右側：以下、裾側ともいう）から、堤防部５６の急な斜面に沿って頂部５６ａを越えて図中左側の堰止湖５７までホース５５を敷設する。その際に、前述の第１実施形態と同様に、ホース５５の表裏を反転させながら、反転の先端部分５５ａを進出させることによって、堤防部５６の斜面に沿ってホース５５の敷設を行う。
【００６５】
まず、堤防部５６の裾側の比較的平坦な場所に、ホース敷設装置５１を設置する。図には、ホース敷設装置５１としては、第１実施形態と同様に、リール５３が設置された台車５２を有する自走式のものが開示されている。そして、ホース敷設装置５１は、リール５２を回転させることによって、このリール５３に巻き付けられたホース５５を引き出す。
【００６６】
この排水用のホース５５としては、前記第１実施形態の給水用のホース５と同様、例えば、筒状織物からなるジャケットの内外面に合成樹脂のコーティングがなされたものを使用できる。尚、前述した第１実施形態と同様に、口径が２００〜１０００ｍｍの範囲のホースを使用できるが、堤防部５６の斜面は足場が悪く、前記第１実施形態の図７（ｃ）で例示したように複数のホース５５を接続する作業が難しくなることから、長尺のホースを使用して接続作業をできるだけ減らすとともに、口径は小さいものを採用する。具体的には、口径２００〜４００ｍｍで、耐圧力が０．５ＭＰａのものを好適に使用できる。尚、ジャケットとしては、以下のような仕様のものを用いることができる。
（口径：２００ｍｍ）
経糸：ポリエステル糸１１００Ｔ／３×７０４本
緯糸：アラミド繊維１６７０Ｔ／２  ４５Ｐ／１０ｃｍ
（口径：１５０ｍｍ）
経糸：ポリエステル糸１０００Ｔ／３×６５６本
緯糸：アラミド繊維１６７０Ｔ／１  ６１Ｐ／１０ｃｍ
【００６７】
また、ホース敷設装置５１の近くに、ホース５５の表裏を反転させる反転金具６０と、この反転金具６０に加圧エアを供給するエアポンプ６１とを設置する。尚、反転金具６０及びエアポンプ６１は、前記第１実施形態と同様のもの（図１〜図３参照）を使用できる。
【００６８】
反転によるホース５５の敷設は、前記第１実施形態と同様であるので詳細な説明は省略するが、以下のようにして行う。まず、リール５３から引き出したホース５５の先端部を、裏返した状態で反転金具６０に固定する。そして、リール５３を回転させてホース５５を引き出しながら、エアポンプ６１から供給された加圧エアの圧力によって、ホース５５の表裏を反転させつつ反転の先端部分５５ａを進出させて、ホース５５の敷設を開始する。尚、反転金具１０に供給する加圧エアの圧力は、ホース５５の仕様に応じて決定する。例えば、口径が２００〜４００ｍｍ、耐圧力が０．５ＭＰａ程度のホースの場合であれば、加圧エアの圧力を０．０５〜０．３ＭＰａとすることで、かなり長尺のホース５５であっても反転による敷設が可能である。
【００６９】
この第２実施形態においても、ホース５５の表裏を反転させつつ、その反転の先端部分５５ａを進出させることによってホース５５を敷設していくため、敷設場所において重量の大きなホース５５を引っ張る必要がなく、また、ホース敷設装置５１を走行させる必要もない。従って、急な斜面であっても、容易且つ迅速にホース５５を敷設することができる。
【００７０】
また、堤防部５６の斜面は倒木や岩などの障害物が多数存在し、また、堰止湖５７の周辺においては流木等も存在する可能性がある。しかし、反転による敷設では、このような障害物の上を乗り越えてホース５５を迅速に敷設でき、また、障害物の事前撤去も不要で敷設作業が容易になる。また、ホース５５の未反転部分が反転済みの部分の内側において繰り出され、地面との間に摩擦が生じないため、引っ張って敷設する場合と比べてホース５５に損傷が生じにくい。
【００７１】
尚、樹木や大岩など、乗り越えることが不可能な障害物が存在する場合には、ホース５５の敷設方向を変更する必要があるが、その際には、反転の先端部分５５ａの向きを変えるだけでよい。ここで、この敷設方向の変更は、敷設場所に作業者が立ち入って行ってもよいが、作業者の立ち入りが難しい場合にはロボット等を用いて行ってもよい。また、ホース５５は曲げたり、押し潰して扁平にしたりすることが可能である。従って、例えば、樹木が林立する山中に敷設する場合でも、ホース５５を扁平にして樹木の間の隙間に通すことで、樹木を迂回したり切り倒したりする必要がなく、その分、敷設時間を短縮できる。
【００７２】
また、加圧エアの圧力によってホース５５を反転させることで、水などの液体の圧力を使用する場合と比較して、ホース５５の重量が大きくならず、上述した敷設方向の変更が容易になる。また、反転の先端部分５５ａが障害物にひっかかったときに、持ち上げてその状態を解消することも容易である。さらに、この第２実施形態では、堤防部５６の斜面に沿ってホース５５を敷設するため、液体を使用すれば、頂部５６ａに向けて斜面に沿って上方へ敷設する場合に裾側において水頭圧が作用することになり、その分だけ、ポンプで余計に昇圧する必要がある。この点、加圧エアを使用すれば水頭圧は作用しないことから小さなエアポンプ６１でも反転が可能になり、敷設が容易になる。
【００７３】
図１０は、ホース敷設後の排水工程を説明する図である。上述した排水ホース５の敷設と並行して、排水ポンプ５８を堰止湖５７まで搬送する。そして、ホース５５の敷設が完了した時点で、図１０に示すように、ホース５５に排水ポンプ５８を接続して、堰止湖５７の水を排水ポンプ５８で汲み上げ、ホース５５によって堤防部５６の裾側へ排水する。
【００７４】
より具体的には、まず、図１０に示すように、堤防部５６の裾側において、ホース５５の端部を反転金具６０から取り外す。そして、取り外したホース５５の端部を、河川（図示省略）に連通した排水桝５９の中に入れる。
【００７５】
また、堰止湖５７側に設置する排水ポンプ５８としては水中ポンプを採用することができる。この場合、敷設が完了したホース５５の、堰止湖５７側の端部に排水ポンプ５８を接続し、この排水ポンプ５８を堰止湖５７内に水没させて堰止湖５７内の水を汲み上げる。尚、排水ポンプ５８が、堰止湖５７内で深く沈んだり、あるいは、遠くまで流されたりしないように、図１０に示すように、ワイヤ６３等によって排水ポンプ５８を堤防部５６に連結しておくことが好ましい。排水ポンプ５８で堰止湖５７から汲み上げられた水は、ホース５５を通って裾側に設置された排水桝５９へ排出され、さらに河川へ流される。このように、排水ポンプ５８として、堰止湖５７内に水没させて使用する水中ポンプを採用すれば、排水ポンプ５８を堰止湖５７の近くや堤防部５６に設置する必要がないから、排水ポンプ５８の設置場所を確保することが難しい場合でも、堰止湖５７からの水の汲み上げが可能となる。
【００７６】
尚、敷設が完了したホース５５から反転金具６０を取り外した後、別のホース５５の端部をこの反転金具６０に接続することにより、同じ反転金具６０を用いて、複数のホース５５を続けて敷設してもよい。これにより、複数のホース５５を１つの反転金具６０で敷設できる。そして、複数のホース５５を敷設して同時に排水を行うことで、堰止湖５７からの排水量が増え、堰止湖５７の水位を早急に低下させることができる。また、同じ反転金具６０を繰り返し使用することで、複数のホース５５を敷設するために、現場へ反転金具６０を１つ搬入すれば済む。
【００７７】
次に、この第２実施形態の変更形態について説明する。但し、前記第２実施形態と同様の構成を有するものについては、同じ符号を付して適宜その説明を省略する。
【００７８】
１］前記第１実施形態に対する変更と同様に、この第２実施形態においても、予めホース５５にベルトを挿通し、このベルトで牽引しながらホース５５を反転させてもよい。特に、この第２実施形態において、堤防部５６の裾側から頂部５６ａに向けて斜面に沿って上方へホース５５を敷設する際に、頂部５６ａ側からベルトを牽引することで、ホース５５の反転の先端部分５５ａが重力に抗して頂部５６ａに到達することを補助できる。尚、ベルトを、堤防部５６の頂部５６ａから牽引するには、ホース５５の敷設前に、ベルトの端部を裾側から頂部５６ａまで渡しておく必要があるが、例えば、救助索を遠く離れた場所に架け渡す際に使用される、救助索発射銃を用いれば簡単に行える。
【００７９】
２］堰止湖５７への搬送のしやすさという観点からは、水中ポンプは小型のものを用いることが好ましいが、小型の水中ポンプは排水量が少ないのが難点である。そこで、図１１に示すように、堰止湖５７まで敷設された１本のホース５５の端部に、接続具６５を介して複数の排水ポンプ５８（水中ポンプ）を接続してもよい。このように、１本のホース５５に複数の排水ポンプ５８を接続することで、個々の排水ポンプ５８としては小型の水中ポンプを採用しつつ、全体の排水量は一定以上に確保して堰止湖５７の水位を早期に低下させることができる。
【００８０】
３］排水ポンプ５８は、堰止湖５７に水没させて使用する水中ポンプには限られず、陸上に設置されるものであってもよい。例えば、図１２に示すように、堤防部５６の頂部５６ａに排水ポンプ５８を設置し、この排水ポンプ５８を、裾側から頂部５６ａまで敷設したホース５５Ａと、頂部５６ａから堰止湖５７まで敷設したホース５５Ｂとそれぞれ接続してもよい。
【００８１】
４］その他、前記第１実施形態と同様に、この第２実施形態においても、複数のホース５５を繋いで敷設する（図７参照）、ホース５５を保護する保護筒体を先に敷設する（図８参照）、ホース５５の反転に水等の液体を使用する、等々の変更を加えてもよい。
【００８２】
以上、本発明の実施形態として、災害時に工場の建屋へ給水用ホースを敷設する場合（第１実施形態）と、堰止湖へ排水用ホースを敷設する場合（第２実施形態）に、本発明をそれぞれ適用した例を挙げたが、本発明はこれら以外の状況においても適用することは可能である。例えば、河川の氾濫時に、浸水地域に排水用ホースを敷設する場合や、山火事発生時に山間部に消防ホースを敷設する場合など、緊急を要するものの敷設場所の状態が悪く、敷設作業が困難を極める場合に適用することが特に望まれる。
【符号の説明】
【００８３】
５  ホース
５ａ  先端部分
５ｂ  未反転部分
６  ベルト
１０  反転金具
２０  ガイド
４０  保護筒体
５５  ホース
６０  反転金具
【図１】
0005934525.tif 000002
【図２】
0005934525.tif 000003
【図３】
0005934525.tif 000004
【図４】
0005934525.tif 000005
【図５】
0005934525.tif 000006
【図６】
0005934525.tif 000007
【図７】
0005934525.tif 000008
【図８】
0005934525.tif 000009
【図９】
0005934525.tif 000010
【図１０】
0005934525.tif 000011
【図１１】
0005934525.tif 000012
【図１２】
0005934525.tif 000013